(57)【特許請求の範囲】
【請求項１】
紙葉類等の被綴込物の綴じ孔に対応する一対の貫通孔を形成させた細長い押え板と、前記綴じ孔と貫通孔とに挿通される可撓性を有する一対の綴じ片部を有する綴じ帯と、前記押え板に長手方向に沿って摺動自在に保持され且つ摺動によって前記綴じ片部を押圧して前記押え板に係止させるスライド部材とを有する綴じ具において、
前記貫通孔は、挿通された綴じ片部が前記貫通孔に対して回動可能であるように形成されており、
前記押え板の両端部には、係止状態において前記綴じ片部の先端部を前記押え板の外側へと逃がすための逃がし部がそれぞれ設けられ、
前記逃がし部は、前記綴じ片部が前記押え板の長手方向に沿って係止される場合だけでなく、前記長手方向に直交する姿勢で係止される場合においても前記綴じ片部の先端部を逃がすことができるように形成されていることを特徴とする綴じ具。
【請求項２】
請求項１に記載の綴じ具において、
前記逃がし部は、前記押え板の長手方向に沿って係止される綴じ片部を嵌入可能な第１逃がし溝と、前記長手方向に直交する姿勢で係止される綴じ片部を嵌入可能な第２逃がし溝とからなることを特徴とする綴じ具。
【請求項３】
請求項１又は２に記載の綴じ具において、
前記綴じ帯は前記綴じ片部が相互に非連結であることを特徴とする綴じ具。
【請求項４】
請求項１ないし３のいずれかに記載の綴じ具において、
前記綴じ片部の表面には、帯幅方向に沿って複数の突条部が形成されており、前記貫通孔の周縁部には、前記突条部と係合可能な係合突起が形成されていることを特徴とする綴じ具。
【発明の詳細な説明】
【０００１】
【発明の属する技術分野】
本発明は、紙葉類等の被綴込物を綴じ込ませるファイルに利用される綴じ具に関する。
【０００２】
【従来の技術】
従来から、紙葉類等の被綴込物を綴じ込ませるファイルとして図１１に示されるようなものが広く利用されている。
【０００３】
この例のファイルに用いられている綴じ具は、被綴込物５に形成された二つ綴じ孔に対応する一対の貫通孔が設けられた押え板１と、前記綴じ孔と貫通孔とを挿通する弾性合成樹脂製の一対の綴じ片部２０を有する綴じ帯２と、前記押え板１に長手方向に沿って摺動自在に保持され且つ摺動によって前記綴じ片部２０を前記押え板１に押え付けて係止する一対のスライド部材３とから構成されている。
【０００４】
上記のような綴じ具を用いたファイルでは、ファイル台紙４の背表紙部４０に連設された折込み片部４１に前記綴じ帯２を固定した後、前記綴じ片部２０に被綴込物５、前記押え板１の順に挿通させる。次に、スライド部材３を図１１中の矢印の方向にそれぞれ摺動させて前記綴じ片部２０を前記押え板１の長手方向に沿って係止することで被綴込物５を綴じ込ませることができる。また、前記スライド部材３を逆方向に摺動させて前記係止を解除させることで、容易に前記被綴込物５を取出し又は差替えることができる。
【０００５】
また、この綴じ具においては、綴じ込み可能な被綴込物５の量は、前記被綴込物５を挿通保持する綴じ片部２０の長さによって決定されるから、前記綴じ片部２０の長さを大きくすることでより多くの被綴込物５を綴じ込ませることができる。
【０００６】
【発明が解決しようとする課題】
しかしながら、上記の綴じ具においては、図１１に示されるように、被綴込物５の綴じ込み量が少なく前記被綴込物５を挿通保持しない前記綴じ片部２０の余剰部分が長い場合には、前記余剰部分が前記押え板１の両端部から飛び出すこととなる。そのため、前記綴じ片部２０の余剰部分が前記ファイル台紙４の端縁から外側にはみ出さないように前記綴じ片部２０の長さを設定しなければならず、前記押え板１の長手方向に余裕が少ないファイル台紙４の場合には、より多くの被綴込物５を綴じ込ませることができないという問題がある。
【０００７】
このような問題を解決するために、図１２に示されるように、前記綴じ片部２０を前記押え板１の長手方向に直交する姿勢で係止させる綴じ具が考案されている。
【０００８】
この例のものは、前述の例と同様に、綴じ孔に対応する一対の貫通孔が設けられた押え板１と、一対の綴じ片部２０を有する綴じ帯２と、前記押え板１に長手方向に沿って摺動自在に外嵌されるスライド部材３とから構成されている。前記スライド部材３には、前記綴じ片部２０を挿通可能なＶ字状の切欠部３６とこの切欠部３６に連通し且つ前記綴じ片部２０を押圧状態で収容可能な係止溝３７が形成されている。
【０００９】
上記のような綴じ具を用いたファイルでは、被綴込物５を挿通保持している綴じ片部２０に前記押え板１及び前記スライド部材３を挿通させた後、前記綴じ片部２０を前記押え板１に直交する姿勢となるように案内しながら前記スライド部材３を図１２中の矢印の方向に摺動させる。そして、前記綴じ片部２０を前記係止溝３７に収容保持させることで前記被綴込物５を綴じ込ませることができる。また、前記スライド部材３を逆方向に摺動させて前記係止を解除することで、容易に前記被綴込物５を取出し又は差替えることができる。
【００１０】
このとき、図１２に示されるように、被綴込物５を挿通保持しない余剰部分の綴じ片部２０は綴じ込まれた被綴込物５の上面に重ねられて、前記ファイル台紙４の端縁からはみ出すことがないため、前記押え板１の長手方向に余裕のないファイル台紙４においても、前記綴じ片部２０を長くしてより多くの被綴込物５を綴じ込ませることができる。
【００１１】
しかしながら、上記の綴じ具においては、前記綴じ片部２０が前記被綴込み物５の上面に重な合っているから、この綴じ具に綴じ込まれた被綴込物５を閲覧するときに、捲ったページが前記綴じ片部２０によって押し戻されてしまうという不具合が生じてしまう。
【００１２】
本発明は、上記事情を鑑みてなされたものであり、『紙葉類等の被綴込物の綴じ孔に対応する一対の貫通孔を形成させた細長い押え板と、前記綴じ孔と貫通孔とに挿通される可撓性を有する一対の綴じ片部を有する綴じ帯と、前記押え板に長手方向に沿って摺動自在に保持され且つ摺動によって前記綴じ片部を押圧して前記押え板に係止させるスライド部材とを有する綴じ具』において、幅広い規格のファイル台紙等に共用することができ且つ綴じ込まれた被綴込物の閲覧をし易くすることを課題とする。
【００１３】
【課題を解決するための手段】
＊１項
上記課題を解決するための本発明の技術的手段は、『前記貫通孔は、挿通された綴じ片部が前記貫通孔に対して回動可能であるように形成されており、
前記押え板の両端部には、係止状態において前記綴じ片部の先端部を前記押え板の外側へと逃がすための逃がし部がそれぞれ設けられ、
前記逃がし部は、前記綴じ片部が前記押え板の長手方向に沿って係止される場合だけでなく、前記長手方向に直交する姿勢で係止される場合においても前記綴じ片部の先端部を逃がすことができるように形成されている』ことを特徴とするものである。
【００１４】
これによれば、綴じ片部を押え板の長手方向に沿って係止することも、前記長手方向に直交するように係止することもできるため、ファイル台紙の規格や被綴込物の綴じ込み量等に合わせて前記押え板に対する前記綴じ片部の係止姿勢を変更することができる。
【００１５】
また、前記綴じ片部は、被綴込物及び押え板を挿通保持した状態でも回動できるから、前記被綴込物の綴じ込み量の増減などに合わせて容易に前記綴じ片部の係止姿勢を変更することができる。
【００１６】
ここで、前記逃がし部は、前記綴じ片部が前記押え板の長手方向又はこれに直交する姿勢で係止された前記綴じ片部を逃がす構成に限定されるものではなく、前記長手方向に対して傾斜した姿勢で係止された綴じ片部の先端部を逃がすことのできる構成であってもよい。
【００１７】
＊２項
１項において、『前記逃がし部は、前記押え板の長手方向に沿って係止される綴じ片部を嵌入可能な第１逃がし溝と、前記長手方向に直交する姿勢で係止される綴じ片部を嵌入可能な第２逃がし溝とからなる』ことを特徴とするものでは、前記押え板に係止された前記綴じ片部の先端部は前記第１又は第２逃がし溝に凹凸嵌合状態で保持されることで前記綴じ片部の帯幅方向への揺動が防止されるため、前記綴じ片部の係止姿勢が安定する。これにより、落下時の衝撃や外力等によって前記綴じ片部の係止が解除されるようなことが防止される。
【００１８】
＊３項
１項又は２項において、『前記綴じ帯は前記綴じ片部が相互に非連結である』ことを特徴とするものでは、前記一対の綴じ片部が相互に連結された構成のものに比べて、それぞれの綴じ片部の自由度が高く独立して自由に回動できるため、前記綴じ片部の係止姿勢の変更が容易である。
【００１９】
＊４項
１項ないし３項のいずれかにおいて、『前記綴じ片部の表面には、帯幅方向に沿って複数の突条部が形成されており、
前記貫通孔の周縁部には、前記突条部と係合可能な係合突起が形成されている』ことを特徴とするものでは、前記綴じ片部は前記突条部と係合突起とが係合した状態で前記スライド部材によって押圧されるため、前記綴じ片部は移動阻止状態に前記押え板に係止されることとなる。これにより、被綴込物の増加に伴なって前記押え板に作用する前記綴じ片部を基端部側へ引き戻そうとする力によって前記スライド部材が摺動されて前記綴じ片部の係止が解除されたり、被綴込物の綴じ込み状態が緩んでしまう等の不具合が防止される。
【００２０】
【発明の効果】
上記のような構成であるから本発明は次の特有の効果を有する。
本発明の綴じ具においては、ファイル台紙等の規格や被綴込物の量に合わせて押え板に対する前記綴じ片部の係止姿勢を変更することができるから、本発明の綴じ具はファイル台紙等の規格によって利用できる範囲が制限されにくく、幅広い規格のファイル台紙等に共用することができる。
【００２１】
また、被綴込物及び押え板を挿通保持した状態で前記綴じ片部の係止姿勢を容易に変更することができるから、前記押え板の長手方向に直交する姿勢で係止された綴じ片部が前記被綴込物に重なり合う場合において、綴じ込まれた被綴込物を閲覧するときには前記綴じ片部を前記長手方向に沿った係止姿勢に変更することで、捲ったページが前記綴じ片部によって押し戻される不具合がなく被綴込物を閲覧し易い。
【００２２】
また、２項のものによれば、押え板の長手方向に沿って係止される綴じ片部を嵌入可能な第１逃がし溝と、前記長手方向に直交した姿勢で係止される綴じ片部を嵌入可能な第２逃がし溝とが形成されていることで、落下時の衝撃や外力等によって不用意に前記綴じ片部の係止が解除されることが防止される。
【００２３】
また、３項のものによれば、前記綴じ片部が相互に非連結であることで、それぞれの綴じ片部を自由に回動できるから前記綴じ片部の係止姿勢の変更が容易である。
【００２４】
また、４項のものによれば、綴じ片部に形成させた複数の突条部と、綴じ孔の周縁部に形成させた係合突起とが係合されることで、前記綴じ片部が移動阻止状態で係止されるから、被綴込物の増加に伴なって前記綴じ片部の係止が解除されたり、被綴込物の綴じ込み状態が緩んでしまう等の不具合が防止される。
【００２５】
【発明の実施の形態】
以下に、本発明の実施の形態について添付図面を参照しながら詳述する。
本発明実施の形態の一例である綴じ具を利用したファイルを図１に示している。
この例のファイルは、被綴込物５の綴じ込み量に応じて背表紙部４０の横幅を調節することができる構成となっており、ファイル台紙４は、折込みによって綴じ具の押え板１を取付ける第１挟持片部４２と背表紙部４０とが形成された表紙部材４４と、前記背表紙部４０を引出し可能に収容する袋状の収容部４７と前記第１挟持片部４２と共に被綴込物５を挟持する第２挟持片部４３とが形成された裏表紙部材４５とからなっている。前記第１及び第２挟持片部４２，４３には前記被綴込物５の綴じ孔５０に対応すると共に前記綴じ帯２の綴じ片部２０を挿通する挿通孔４６がそれぞれ形成されている。
【００２６】
前記綴じ具は、図１に示されるように、前記綴じ孔５０に対応する二つの貫通孔１０が形成された細長い押え板１と、前記綴じ孔５０及び挿通孔４６、貫通孔１０に挿通される弾性合成樹脂製の一対の綴じ片部２０を有する綴じ帯２と、前記押え板１に長手方向に沿って摺動自在に保持され且つ摺動によって前記綴じ片部２０を押圧して前記押え板１に係止させるスライド部材３とから構成されている。
【００２７】
前記押え板１には、図２に示されるように、長手方向に沿ってスライド部材３を摺動自在に保持する一対のレール部１５と、前記綴じ片部２０を挿通可能な正方形状の貫通孔１０と、前記押え板１の長手方向に沿って係止された綴じ片部２０の先端部２２を逃がす第１逃がし溝１１と、前記長手方向に直交する姿勢で係止された綴じ片部２０を逃がす第２逃がし溝１２とが形成されている。
【００２８】
前記押え板１は、両端部に形成された取付孔１７を挿通するビスＢによって前記ファイル台紙４の第１挟持片４２に固定されており、前記第１および第２逃がし溝１１，１２の溝幅は、前記綴じ片部２０を嵌入保持し得るように前記綴じ片部２０の帯幅と同程度の大きさに設定されている。
【００２９】
また、前記第１及び第２逃がし溝１１，１２に対向する前記貫通孔１０の各辺には後述する前記綴じ片部２０の突条部２３と係合可能な三角形状の係合突起１３がそれぞれ形成されており、前記押え板１の中央部には、前記スライド部材３の摺動の際に上下動される操作部３０を収容可能な凹部１６が形成されている。
【００３０】
前記綴じ帯２は、図３(a)に示されるように、前記ファイル台紙４の挿通孔４６に抜け止め状態に当接される円形の基端部２１と、前記綴じ孔５０及び貫通孔１０、挿通孔４６に回動可能に挿通され且つ被綴込物５を挿通保持する扁平な綴じ片部２０とから構成される２本の綴じ帯部材２５からなり、前記綴じ帯部材２５は相互に非連結であり独立している。
【００３１】
前記綴じ片部２０の表面には、図３(b)に示されるように、前記押え板１の係合突起１３と係合し得るように三角形状の突条部２３が帯幅方向に沿って全域にわたって形成されている。また、前記綴じ片部２０の先端部２２は、前記綴じ孔５０等に挿通させ易いように先細に形成されている。
【００３２】
また、このものにおいては、前記綴じ片部２０と基端部２１は一体的に形成されており、前記綴じ片部２０と基端部２１との連結部には、前記基端部２１に対して前記綴じ片部２０を直立させ易いようにＶ字状の切欠部２４が形成されている。
【００３３】
前記スライド部材３は、図１及び図４に示されるように、矩形状の一対の操作片３６からなる操作部３０と、前記操作部３０の引上げ・押下げと共に逆Ｖ字状から直線状に屈曲変形する一対の屈曲片部３１と、前記屈曲片部３１に屈曲自在にそれぞれ連設されると共に前記押え板１のレール部１５に摺動自在に保持される一対の摺動片部３２とから構成されている。
【００３４】
前記一対の操作片３６は、薄肉の連結片３００によって屈曲自在に連結されており、図１に示されるように、逆Ｖ字状に引上げられた状態から指によって容易に押下げできるように表面に半円形の窪み部３６０が形成されていると共に、前記押え板１に直線状に重ねられた状態から容易に引上げできるように前記操作片３６は前記押え板１よりも幅広に形成されている。
【００３５】
前記摺動片部３２には、図４に示されるように、前記押え板１のレール部１５に保持される保持片部３３と前記綴じ片部２０を押圧状態で収容する収容部３２０とが形成されており、前記収容部３２０には、前記綴じ片部２０が前記押え板１の長手方向に直交する姿勢で係止される場合に、前記綴じ片部２０を前記直交方向に逃がすための切欠部３４が形成されている。
【００３６】
＊綴じ込み作業及び綴じ片部２０の係止姿勢について
次に、上記のファイルに実際に被綴込物を綴じ込む場合について説明する。
先ず、前記裏表紙部材４５の挟持片部４３の挿通孔４６に下面から前記綴じ帯部材２５をそれぞれ挿通させた後に、前記綴じ片部２０の方向を調節してその綴じ片部２０に被綴込物５を挿通保持させる。そして、前記被綴込物５の綴じ込み量に合わせて前記裏表紙部材４５の収容部４７から背表紙部４０を引出してその幅を調節した後に、前記押え板１が取付けられた挟持片部４２の挿通孔４６及び前記押え板１の貫通孔１０に前記綴じ片部２０を挿通させる。
【００３７】
次に、前記綴じ片部２０を前記第２逃がし溝１２に嵌め込むように案内しながら前記スライド部材３の操作部３０を押下げると、前記一対の摺動片部３２が外側に向かって摺動して前記綴じ片部２０を前記押え板１の長手方向に直交する姿勢で係止する。これにより、図５に示されるように、前記被綴込物５を綴じ込まれると共に、前記被綴込物５を挿通保持しない余剰な綴じ片部２０は綴じ込まれた被綴込物５の上面に重ね合わされる。
【００３８】
このファイルに綴じ込まれた被綴込物５を閲覧する場合には、前記スライド部材３の操作部３０を引上げて前記綴じ片部２０の係止状態を解除させた後、前記被綴込物５及び押え板１を挿通保持した状態の前記綴じ片部２０を前記押え板１の長手方向に沿うように９０度だけ回動させる。そして、前記スライド部材３の操作部３０を押下げて前記綴じ片部２０を前記長手方向に沿って係止させる。これにより、図６に示されるように、前記被綴込物５を綴じ込ませることができると共に、前記被綴込物５に重なり合っていた綴じ片部２０は前記押え板１の長手方向に沿って前記ファイル台紙４の端縁から外側へと突出される。
【００３９】
このように、この例の綴じ具を利用することで、前記被綴込物５及び押え板１を挿通保持した状態で前記綴じ片部２０の係止姿勢を容易に変更することができるから、閲覧時のときに前記綴じ片部２０の係止姿勢を変更して捲ったページが前記綴じ片部２０によって押し戻されないようにできるため、ファイルに綴じ込まれた被綴込物５を閲覧し易い。また、閲覧後には、同様にして容易に前記綴じ片部２０の係止姿勢を元の状態に戻すことができる。
【００４０】
また、この例の綴じ具は、ファイル台紙４等の規格や被綴込物５の綴じ込み量に合わせて、前記綴じ片部２０の係止姿勢を自由に変更することができるから、従来の綴じ具のように、ファイル台紙４等の規格によって利用できる範囲が制限されにくく、幅広い規格のファイル台紙４等に共用することができる。
【００４１】
この例のものでは、前記押え板１に係止された綴じ片部２０の先端部２２を外側に逃がす逃がし部を前記綴じ片部２０を嵌入可能な第１及び第２逃がし溝１１，１２としているから、前記綴じ片部２０の帯幅方向への移動が阻止されるため、落下時の衝撃や外力等によって前記綴じ片部２０の係止が不用意に解除されることが防止される。
【００４２】
また、前記綴じ帯２は互いに非連結な綴じ帯部材２５からなるので、それぞれの綴じ片部２０を自由に回動させて前記綴じ片部２０の係止姿勢を容易に変更させることができる。
【００４３】
この例のものでは、前記綴じ片部２０を押え板１の長手方向に沿って係止させるときに、図７に示されるように、前記綴じ片部２０の突条部２３と前記押え板１の係合突起１３とが相互に噛みあった状態で前記摺動片部３２によって押圧され、前記綴じ片部２０は前記長手方向に移動阻止状態となるため、被綴込物５の増加に伴なって前記綴じ片部２０の係止が解除されたり、被綴込物５の綴じ込み状態が緩んでしまう等の不具合が起こりにくい。ここで、前記綴じ片部２０が前記押え板１の長手方向に直交する姿勢で係止される場合も同様に前記突条部２３と係合突起１４とが係合される。
【００４４】
＊その他の実施の形態
本発明の綴じ具は上記の実施の形態に限られるものではない。
図８には、前記押え板１の長手方向に対して傾斜する姿勢で係止された綴じ片部２０を外側に逃がすことのできる逃がし部１８が形成された押え板１を示している。
【００４５】
この例のものは、被綴込物５の綴じ孔に対応する貫通孔１０が形成された細長い押え板１と、前記綴じ孔及び貫通孔１０を挿通する一対の綴じ片部２０を有する綴じ帯２と、前記押え板１に摺動自在に保持され且つ摺動によって前記綴じ片部２０を係止するスライド部材３とから構成されており、前記押え板１の周縁に沿って形成された逃がし部１８と、円形の貫通孔１０以外の点については前述の綴じ具と同じ構成となっている。
【００４６】
このような構成としたものでは、前記押え板１の長手方向又は前記長手方向に直交する方向だけでなく、図９に示されるように、前記逃がし部１８の形成された領域内において前記押え板１に対して所定の角度を有するように自由に前記綴じ片部２０の係止姿勢を調節することができる。
【００４７】
＊その他
前述の例において、前記綴じ帯２は互いに非連結な綴じ帯部材２５からなっているが、前記綴じ片部２０がその可撓性によって回動可能であれば相互に連結された構成であってもよい。また、前記綴じ片部２０の係止姿勢の変更が必要な場合に容易に切り離しできるように前記綴じ片部２０相互を連結させた構成としてもよい。
【００４８】
図１０には、可撓性を有する合成樹脂製の一対の綴じ片部２０と、前記綴じ片部２０相互を連結する矩形状の基端部２６とが一体的に形成された綴じ帯２を示している。
【００４９】
この綴じ帯２は、主として図１及び図５に示されるような横長の被綴込物５を綴じ込むファイル台紙４に用いられるものであり、前記綴じ片部２０は前記押え板１の長手方向に直交する姿勢で前記基端部２６に連結されているが、その可撓性によって前記長手方向に沿った姿勢で前記押え板１に前記綴じ片部２０を係止することができる。また、前記綴じ片部２０と基端部２６との連結部には、前述の例と同様に、前記綴じ片部２０を直立させ易いようにＶ字状の切欠部２４が形成されている。
【００５０】
このような構成のものでは、前記一対の綴じ片部２０が連結されているから前記ファイル台紙４への綴じ帯２の取付けが容易である。また、被綴込物５の差替え作業時などに、図３のように前記綴じ片部２０相互が独立しているものに比べて、前記綴じ帯２がファイル台紙４から脱落しにくい。
【００５１】
前述の例において、前記スライド部材３は、前記操作部３０を引上げ・押下げて前記摺動片部３２によって前記一対の綴じ片部２０を一度に係止又は前記係止を解除できる構成となっているが、前記スライド部材３は前記押え板１の長手方向に沿って摺動することで前記綴じ片部２０を係止可能な構成であれば、図１１の従来例に示されるように、前記綴じ片部２０それぞれに対して別個にスライド部材３が設けられた構成であってもよい。
【００５２】
前述の例において、前記押え板１は、ファイル台紙４の表紙部材４４に取付けられて前記第１挟持片部４２を介して被綴込物５を押えているが、従来例のように前記被綴込物５の上面に重ね合わされて、前記被綴込み物を直接押えつけるものであってもよい。
【図面の簡単な説明】
【図１】本発明実施の形態における綴じ具を利用したファイルを示す説明図である。
【図２】本発明の綴じ具に用いられる押え板を示す斜視図である。
【図３】  (a)本発明の綴じ具に用いられる綴じ片部を示す平面図である。
(b)本発明の綴じ具に用いられる綴じ片部を示す側面図である。
【図４】本発明の綴じ具に用いられるスライド部材の裏面を示す斜視図である。
【図５】被綴込物の綴じ込み状態を示す斜視図である。
【図６】被綴込物の綴じ込み状態を示す斜視図である。
【図７】図６の部分断面図である。
【図８】本発明の他の実施の形態における綴じ具の押え板を示す斜視図である。
【図９】図８の綴じ具を利用したファイルの綴じ込み状態を示す平面図である。
【図１０】本発明の綴じ具に用いられる綴じ帯を示す平面図である。
【図１１】従来の綴じ具を示す説明図である。
【図１２】従来の綴じ具を示す説明図である。
【符号の説明】
(1)・・・押え板
(10)・・・貫通孔
(11)・・・第１逃がし溝
(12)・・・第２逃がし溝
(13)(14)・・・係合突起
(2)・・・綴じ帯
(20)・・・綴じ片部
(23)・・・突条部
(3)・・・スライド部材
(4)・・・ファイル台紙
(5)・・・被綴込物
(50)・・・綴じ孔
【図１】
0003643576.tif 000002
【図２】
0003643576.tif 000003
【図３】
0003643576.tif 000004
【図４】
0003643576.tif 000005
【図５】
0003643576.tif 000006
【図６】
0003643576.tif 000007
【図７】
0003643576.tif 000008
【図８】
0003643576.tif 000009
【図９】
0003643576.tif 000010
【図１０】
0003643576.tif 000011
【図１１】
0003643576.tif 000012
【図１２】
0003643576.tif 000013